(57)【特許請求の範囲】
【請求項１】
廃棄瓶を一列に整列させる整列装置において、廃棄瓶の流れ方向に傾斜させた２条の丸棒状部材からなる搬送レールと、該搬送レールに沿って少なくとも片側に設けたガイド板と、該２条の丸棒状部材を互いに外転させて前記廃棄瓶を下流側に滑らせる駆動機構を設けるとともに、ガイド板は搬送レールに沿って設けられ、該ガイド板の下端部にスカート板が軸着されたことを特徴とする廃棄瓶整列装置。
【請求項２】
ガイド板の上方に減速板を軸着させ、ガイド板上面を案内される廃棄瓶の速度を調整させたことを特徴とする請求項１記載の廃棄瓶整列装置。
【発明の詳細な説明】
【０００１】
【発明の属する技術分野】
本発明は、廃棄瓶を色別もしくは種別に選別する際に用いられる廃棄瓶整列装置に関する。
【０００２】
【従来の技術】
一般に、廃棄瓶整列装置は、選別装置で廃棄瓶を色別もしくは種別に選別する際に用いられている。
【０００３】
特開平９−１０８４号公報には、廃棄瓶選別装置に用いた整列装置が開示されている。図７は上記廃棄瓶整列装置の一例を示す図であり、図８は上記廃棄瓶整列装置に用いた整列装置の平面図であり、図９は図８のＡ−Ａ線矢視断面図である。
【０００４】
廃棄瓶選別装置は、瓶供給コンベア１より投入された廃棄瓶（空瓶）１０が、ローラ式サイズ分別機２によって廃棄瓶１０のサイズ毎に分別され、出口４より各サイズ毎に、コンベア６に送られる。また破砕したカレットは出口３よりカレット排出コンベア５へ送られる。その後廃棄瓶１０はコンベア６に接続する整列コンベア７に送られ、同一方向の向きに整列される。整列された廃棄瓶１０はバケットコンベア８に送られ、バケットコンベア８に設けられた色検出器９によって色の選別がなされ、各色毎に設けられた瓶排出用の各シュート１１に送られて選別を終了する。
【０００５】
上記廃棄瓶１０の整列装置７は、図８、図９に示すように、移送コンベア１２と走行ガイド１３で構成されている。θは水平面に対する移送コンベア１２の傾斜角度で約２０°、αは移送コンベア１２の走行方向と走行ガイド１３の走行方向がなす角度で約１０°、βは移送コンベア１２と走行ガイド１３の双方の面がなす角度で約９０°である。移送コンベア１２の走行に伴い、廃棄瓶１０は移送コンベア１２の低い側によって行き、廃棄瓶１０の口部または底部が走行ガイド１３に接触する。廃棄瓶１０は移送コンベア１２と走行ガイド１３の双方に接触しているので、それらの接触部分はそれぞれの走行速度に近い速度で動こうとする。走行ガイド１３の速度は移送コンベア１２より高速なので、廃棄瓶１０は口部または底部が走行ガイド１３の走行方向に引張られ、口部または底部が進行方向を向くように旋回する。最終的には、廃棄瓶１０の胴部が走行ガイド１３に接触し、廃棄瓶１０の胴部側面の方向が走行ガイド１３の走行方向に一致することにより、廃棄瓶１０の整列が完了する。
【０００６】
上記整列装置７によれば、廃棄瓶１０同士の衝突が大幅に減少し、廃棄瓶１０の破損と騒音が少なく、かつ高い処理能力が達成できる。
【０００７】
【発明が解決しようとする課題】
しかしながら、従来の廃棄瓶整列装置は、以下の問題がある。
【０００８】
上記廃棄瓶整列装置では、ベルト型の整列装置７を用いて、廃棄瓶７を一列に整列した後、色検出器９によって廃棄瓶１０の色を検出して、色別に仕分けを行っている。ベルト型の整列装置７の前段では、ローラ式のサイズ分別機２によって廃棄瓶１０のサイズ毎に分別され、出口４より各サイズ毎に、コンベア６に送られる。またサイズ分別機２の前で破砕したカレットは出口３よりカレット排出コンベア５へ送られる。
【０００９】
しかし、廃棄瓶１０をサイズ分別機２でサイズ毎に分別して、コンベア６に乗移しする際、更にコンベア６から整列装置７に乗移しする際、廃棄瓶１０同士の衝突等によって新たなカレットを生じ易い。新たなカレットが生じた場合には、ベルト型の整列装置７では、カレットを混入したまま廃棄瓶を次のバケットコンベアに乗移し、カレットは色別装置で検出されないまま、瓶排出用の各シュート１７に送られ、選別される。そのため、色別の仕分け精度を低下させる。
【００１０】
また、コンベア型の整列装置７は、水平面に対する移送コンベア１２の傾斜角度θ、移送コンベア１２の走行方向と走行ガイド１３の走行方向がなす角度α、移送コンベア１２の速度、走行ガイド１３の速度等を適正に維持することが必要であるが、廃棄瓶の大きさ、形状等が異なる場合には、それらの条件を適正に維持することが困難である。
【００１１】
本発明は、上記のような問題点の解決を図ったものであり、カレットを混入することなく、廃棄瓶を大きさ、形状等に関係なく、簡単に一列に整列させることのできる廃棄瓶整列装置を提供することを目的とする。
【００１２】
【課題を解決する手段】
第一の発明は、廃棄瓶を一列に整列させる整列装置において、廃棄瓶の流れ方向に傾斜させた２条の丸棒状部材からなる搬送レールと、該搬送レールに沿って少なくとも片側に設けたガイド板と、該２条の丸棒状部材を互いに外転させて前記廃棄瓶を下流側に滑らせる駆動機構を設けるとともに、ガイド板は搬送レールに沿って設けられ、該ガイド板の下端部にスカート板が軸着されたことを特徴とする廃棄瓶整列装置である。
【００１３】
第二の発明は、第一の発明において、ガイド板の上方に減速板を軸着させ、ガイド板上面を案内される廃棄瓶の速度を調整させたことを特徴とする廃棄瓶整列装置である。
【００１６】
本発明によれば、廃棄瓶を一対のガイド板により案内して搬送レールに載せ、搬送レールを構成する２条の丸棒状部材を互いに外転させることによって、廃棄瓶を下流側に滑らせながら一列に整列することができる。
【００１７】
またガイド板の下端で形成されるスリットが略鉛直もしくは上広傾斜の壁を有するようにしたので、連続的に転がる廃棄瓶が時系列的にスリット内に嵌まり込み、先に整列された廃棄瓶の整列が乱されない。
【００１８】
また、ガイド板の下端にスカート板が軸着されて、そこを支点として自由に振動できるので、２条の丸棒状部材で構成された搬送レールに搬送能力以上の廃棄瓶がガイド板上に供給されても、スカート板が搬送レール外側に向かって開いて、搬送能力過剰分の廃棄瓶を搬送レール外に排出し、溝状空間内の廃棄瓶は詰まることなく、安定的に連続処理を行うことができる。
【００１９】
またガイド板上を必要以上に早い速度で滑るような廃棄瓶は２条の丸棒状部材で構成された搬送レール上ではなかなか安定しないが、そのような廃棄瓶を振動自由なスカート板に衝突させることによって、適度に減速させて、本発明の廃棄瓶整列装置の整列効果を高めることができる。
【００２０】
更には、ガイド板上に設置した振動自由な減速板により、ガイド板上を必要以上に早い速度で滑るような廃棄瓶を減速させることにより、先に整列された廃棄瓶の整列を乱すことなく、且つ速度が遅いために搬送レール上で安定し易いために、本発明の廃棄瓶整列装置の整列効果を一層高めることができる。
【００２１】
【発明の実施の形態】
以下に本発明の実施の形態を図によって詳述する。
【００２２】
図１は本発明の一実施の形態を示す斜視図であり、図２は図１のＢ−Ｂ線断面図である。
【００２３】
廃棄瓶整列装置２０は、廃棄瓶２６の流れ方向に傾斜させた搬送レール２２、２３、２４と、搬送レール２２ａの両側に設けた一対のガイド板２５と、廃棄瓶２６を搬送レール２２、２３、２４の下流側に滑らせる駆動機構２７から構成されている。
【００２４】
搬送レール２２、２３、２４は独立的に連結し、搬送レールユニット２１を構成している。搬送レール２２、２３、２４は、所定の幅に設定した２条の丸棒状部材２２ａ、２２ｂ、２３ａ、２３ｂ、２４ａ、２４ｂを備えている。
【００２５】
搬送レール２２は、丸棒状部材２２ａ、２２ｂに駆動機構２７のモータ２８の回転を伝達する駆動伝達軸３１、チェーン２９、プーリー３０によって、丸棒状部材２１ａ、２１ｂが互いに外側に回転するように伝達される。
【００２６】
さらに、モータ２８の回転は、それぞれの駆動伝達軸３１でプーリー３２とプーリー３３に伝達され、プーリー３２の回転はチェーン３４で丸棒状部材２３ａ、２３ｂに伝達され、同様にプーリー３３の回転はチェーン３５で丸棒状部材２４ａ、２４ｂに伝達される。
【００２７】
ここでは、必要に応じて、プーリー３０、プーリー３２、プーリー３３の半径を異ならせることにより、丸棒状部材２２ａ、２２ｂと丸棒状部材２３ａ、２３ｂと丸棒状部材２４ａ、２４ｂの回転速度を異ならせることができる。
勿論、上記した丸棒状部材の回転速度は公知の種々の方法によって変えることもできる。
【００２８】
ガイド板２５は、一対のガイド板２５ａ、２５ｂを搬送レール２２の両側に設けて構成されている。ガイド板２５ａ、２５ｂの下端にはスリット３６を形成して、ガイド板２５ａ、２５ｂの下端に設置した丸棒状部材２１ａ、２１ｂによる搬送レール２２に、案内された廃棄瓶２６が載置される。符号２６ａは次の廃棄瓶を示す。
【００２９】
次に、本実施の形態についての動作を詳述する。ホッパー１９からガイド板２５ａ、２５ｂに乱雑に投入された廃棄瓶２６はガイド板２５ａ、２５ｂを転がり落ちて、丸棒状部材２２ａ、２２ｂによる搬送レール２２上に載置される。丸棒状部材２２ａ、２２ｂは、駆動機構２７のモータ２８、駆動伝達軸３１、チェーン２９、プーリー３０によって、丸棒状部材２２ａ、２２ｂが互いに外転しているので、搬送レール２２上に載置された廃棄瓶２６は下流側に滑べっていく。廃棄瓶２６は搬送レール２２上から同様に外転している搬送レール２３上に乗移り、さらに、搬送レール２３上から同様に外転している搬送レール２４上に乗移って滑っている。廃棄瓶２６は搬送レール２２、２３、２４上を滑って行く間に一列に整列される。
【００３０】
ここでは、搬送レール２２、２３、２４の回転速度の比が適正になるように、プーリー３０、プーリー３２、プーリー３３の外径を選択されている。
廃棄瓶２６にカレット３７が混入している場合は、２条の丸棒状部材２２ａ、２２ｂの間から落下して、残渣コンベア４３で回収される。
【００３１】
そして、搬送レール２４に搬送されてきた廃棄瓶２６は、搬送レール２４の側面に設けられたセンサ３８によって、搬送レール２４上の廃棄瓶２６の色及び形状が検出される。センサ３８によって検出された情報は、制御装置３９に送られ、制御装置３９からの制御信号によって制御バルブ４０を操作して、ノズル４４からエアージェットを噴出させて、廃棄瓶２６を色別または種類別の所定の仕分け箱４５へ回収される。また、カレット３７が下流側まで搬送された場合には、エアージェットを噴出して回収することもできる。
【００３２】
上記実施の形態では搬送レール２２、２３、２４に独立的に分割した搬送レールユニット２１を用いて、それぞれの回転数を調整することにより、廃棄瓶の処理量を増大させることができた。しかし、各搬送レールの回転速度が等しい場合は、廃棄瓶は等加速度を受けて、搬送されるに従って徐々に加速して、互いに引き離されて分離する。
【００３３】
同様に、搬送レールは分割しなくても目的を達成できるので、分割した搬送レールユニットに限定するものではない。
【００３４】
尚、図１、図２の実施の形態では、搬送レールに沿って両側に設けたガイド板について述べたが、片側に設けたガイド板の場合についても同様に適用できる。
【００３５】
次に、本発明に用いるガイド板の他の実施の形態について述べる。図３は本発明に用いるガイド板の他の実施の形態を示す断面図である。図中、図１、図２と共通する箇所は同一符号を付けて説明を省略した。
【００３６】
ガイド板４１は、一対のガイド板４１ａ、４１ｂを搬送レール２２の２条の丸棒状部材２２ａ、２２ｂの両側に設けて構成されている。ガイド板４１ａ、４１ｂの下端にはスリット３６を形成して、ガイド板４１ａ、４１ｂの下端に設置した丸棒状部材２２ａ、２２ｂによる搬送レール２２上に、案内された廃棄瓶２６が載置される。
【００３７】
ガイド板４１ａ、４１ｂは、所定の厚さを有して、ガイド板４１ａ、４１ｂの下端に形成されたスリット３６は対向する面がスリット壁３６ａになっている。スリット壁３６ａの形状は略鉛直壁もしくは上広傾斜壁であり、溝のような空間を作りだしている。
【００３８】
ガイド板４１ａ、４１ｂの下面は丸棒状部材２２ａ、２２ｂと接しているから、ガイド板４１ａ、４１ｂの厚みによって搬送レール２２からの高さが規定される。いま、ガイド板４１ａ、４１ｂの厚みをｔ、２条の丸棒状部材２２ａ、２２ｂが構成する隙間をｘ、処理対象とする廃棄瓶２６の最大半径をＲ、丸棒状部材２２ａ、２２ｂの半径をｒとすると、ｔ＝（４／３）Ｒ−ｒで求められる値に近いことが望ましい。また、この関係でｔを決定する場合、丸棒状部材２２ａ、２２ｂの半径ｒと丸棒状部材２２ａ、２２ｂが構成する隙間ｘはおおよそ近い値が望ましい。
【００３９】
上記ガイド板の実施の形態によれば、廃棄瓶２６とほぼ同時に次の他の廃棄瓶２６ａが図示しないホッパーからガイド板４１ａ上に供給されると、先の廃棄瓶２６と同様に搬送レール２２に向かってガイド４６ａ上を転げ落ちる。この時、廃棄瓶２６が位置する場所に廃棄瓶２６ａが到達すると、廃棄瓶２６ａは転がりの勢いで廃棄瓶２６の上空を行過ぎて、対岸のガイド板４１ｂの斜面を登って再び廃棄瓶２６の場所に戻るか、もしくは廃棄瓶２６との衝突で停止する。いずれの場合でも、廃棄瓶２６ａは廃棄瓶２６の上空で停止する。廃棄瓶２６ａは廃棄瓶２６とガイド板４１ａまたはガイド板４１ｂと接しているが、両者の摩擦抵抗を比較すると、ガイド板４１ａまたはガイド板４１ｂの方が大きい。この摩擦力により廃棄瓶２６ａは廃棄瓶２６に引きづられることなく、廃棄瓶２６が搬送されてしまうのを待つことができる。
【００４０】
また、異形廃棄瓶に対しても、ガイド板４１ａ、４１ｂの下端に形成されたスリット３６の略鉛直壁もしくは上広傾斜壁により廃棄瓶の暴れを抑えるとともに、常に短径の方が嵌まり込むようになり、その結果整列されて下流へ搬送される。
【００４１】
一対のガイド板４１の下端に形成するスリット３６の幅は下流にいくに従って広く配置することによって、廃棄瓶の詰まりを生ずることなく円滑に搬送できる。尚、図３の実施の形態では、搬送レールに沿って両側に設けたガイド板について、厚さを厚くした場合について述べたが、ガイド板の厚さが薄くでも、ガイド板の下端部を折曲げて、スリットの略鉛直壁もしくは上広傾斜壁を形成することもできる。
【００４２】
図４は本発明の廃棄瓶整列装置で断面楕円形状の廃棄瓶を処理する場合の状態を示す断面図である。図中、図３と共通する箇所は同一符号を付けて説明を省略した。
【００４３】
ガイド板４１は、一対のガイド板４１ａ、４１ｂを搬送レール２２の２条の丸棒状部材２２ａ、２２ｂの両側に設けて構成されている。
【００４４】
ガイド板４１ａ、４１ｂの下端にはスリット３６を形成して、ガイド板４１ａ、４１ｂの下端に設置した丸棒状部材２２ａ、２２ｂによる搬送レール２２上に、案内された廃棄瓶４２が載置される。廃棄瓶４２は楕円形状の断面を有する廃棄瓶であるが、対向する面がスリット壁３６ａになっているスリット３６によって、所謂溝のような空間に一つの廃棄瓶４２が嵌まり込み、それが滑っていく間、連続的に転がってきた次の廃棄瓶４２がその上空で滞留することができるので、整列が済んだ廃棄瓶の整列が乱されない。
【００４５】
以上の実施の形態に示すように、廃棄瓶の流れ方向に傾斜させた２条の外転する丸棒状部材からなる搬送レールと、該搬送レールの両側に設けた一対のガイド板との相乗効果によって、廃棄瓶の大きさ、形状に関係なく、廃棄瓶を簡単に一列に整列することができるとともに、カレットを簡単に分離できるので、本発明の選別装置に接続される廃棄瓶の色別もしくは種別等の選別装置で、適正な選別を行うことができる。また、ガイド板の下端に形成されたスリットの略鉛直壁もしくは上広傾斜壁により廃棄瓶の暴れを抑えるとともに、常に短径の方が嵌まり込むようになり、その結果整列されて下流へ搬送される。本発明によれば、廃棄瓶を一対のガイド板により案内して搬送レールに載せ、搬送レールを構成する２条の丸棒状部材を互いに外転させることによって、廃棄瓶を下流側に滑らせながら一列に整列することができる。
【００４６】
また一対のガイド板の下端で形成されるスリットが略鉛直もしくは上広傾斜の壁を有するようにしたので、連続的に転がる廃棄瓶が時系列的にスリット内に嵌まり込み、先に整列された廃棄瓶の整列が乱されない。
【００４７】
図５は本発明に用いるガイド板の他の実施の形態を示す断面図である。図中、図１、図２と共通する箇所は同一符号を付けて説明を省略した。
【００４８】
ガイド板４１は、一対のガイド板４１ａ、４１ｂを搬送レール２２の２条の丸棒状部材２２ａ、２２ｂの両側に設けて構成されている。ガイド板４１ａ、４１ｂの下端にはヒンジ４７ａ、４７ｂが設けてあり、これにスカート４６ａ、４６ｂがそれぞれヒンジ４７ａ、４７ｂを回転中心として振動自由な状態で吊下げられている。このスカート４６ａ、４６ｂ及び２条の丸棒状部材２２ａ、２２ｂによって構成される溝状空間に、案内された廃棄瓶２６が載置される。
スカート４６ａ、４６ｂの下端は丸棒状部材２２ａ、２２ｂと概略接するように設置してあるので、スカート４６ａ、４６ｂの高さによって溝状空間の深さがが決定される。スカート４６ａ、４６ｂは開閉操作により不要な過剰供給の廃棄瓶を丸棒状部材２２ａ、２２ｂ上から排出する機能を有さなければならないため、少なくとも搬送対象とする廃棄瓶２６の直径以上の高さか必要である。
【００４９】
上記ガイド板の実施の形態によれば、廃棄瓶２６とほぼ同時に次の他の廃棄瓶２６ａが図示しないホッパーからガイド板４１ａ上に供給されると、先の廃棄瓶２６と同様に搬送レール２２に向かってガイド板４１ａ上を転げ落ちる。この時、廃棄瓶２６が位置する場所に廃棄瓶２６ａが到達すると、廃棄瓶２６ａは廃棄瓶２６を通り越し、スカート４６ｂと衝突する。スカート４６ｂは廃棄瓶２６との衝突により搬送レール２２の外側に向けて開き、また廃棄瓶２６ａはスカート４６ｂが閉じる前にスカート４６ｂと搬送レール２２ｂとの間に挟まり込む。そして、廃棄瓶２６ａはスカート４６ｂが閉じようとする力により搬送レール２２ｂに押付けられる結果、廃棄瓶２６ａは搬送レール２２ｂの回転に従って搬送レール２２の外側へ排出される。
【００５０】
尚、図５の実施の形態では、搬送レールに沿って両側に設けたガイド板の下端に、各々スカートを軸着した場合について述べたが、スカートを片側のみに設けて、廃棄瓶２６の過剰分を排出してもよい。その場合、他の側には何も設けないか、または、案内板の下端部を折曲げてもよい。
【００５１】
図６は本発明に用いるガイド板の他の実施の形態を示す断面図である。図５と共通する個所は同一符号を付けて説明を省略した。
【００５２】
ガイド板４１ａ上に振動自由な状態で吊下げられた減速板４８を設置する。ガイド板４１ａに勢い良く供給された廃棄瓶２６ａは減速板４８と衝突させることにより、大きく速度を減速させることができる。これにより、先の廃棄瓶２６の整列を乱すことなく、また自身の勢い超過による搬送レールからの排除という事態が解決される。尚、一本では減速板４８を開いて搬送レール２２上へ到達することができずとも、後続する廃棄瓶の衝突や滞留により減速板５３を開くことができる。従って、連続操業する際には、搬送レール２２上に適度に廃棄瓶２６が案内される。
【００５３】
以上のガイド板の実施の形態に示すように、廃棄瓶の流れ方向に傾斜させた２条の丸棒状部材からなる搬送レールと、該搬送レールに沿って少なくとも片側に設けたガイド板と、該２条の丸棒状部材を互いに外転させて前記廃棄瓶を下流側に滑らせる駆動機構を設けて、廃棄瓶の大きさ、形状に関係なく、廃棄瓶を簡単に整列させることができるとともに、カレットも分離できるので、本発明の廃棄瓶整列装置に接続される廃棄瓶の色別もしくし種別等の選別装置で適正な選別を行うことができる。
【００５４】
また、一対のガイド板の厚みを厚くしまたはガイド板の下端部を折曲げて、下端で形成されるスリットが略鉛直もしくは上広傾斜の壁を有するようにし、また、両側のガイド板又は片側のガイド板の下端部にスカート板を軸着し、また、ガイド板の上方に減速板を軸着させて、廃棄瓶を詰まらせることなく、搬送レールの下流側に廃棄瓶を簡単に整列させることができる。
【００５５】
【発明の効果】
本発明は、廃棄瓶の流れ方向に傾斜させた２条の外転する丸棒状部材からなる搬送レールと、該搬送レールの少なくとも片側に設けたガイド板とを組合わせる簡単な構造によって、カレットを混入することなく、廃棄瓶を大きさ、形状等に関係なく、簡単に一列に整列させることができるので、本発明の選別装置に接続される廃棄瓶の色別もしくは種別等の選別装置で、適正な選別を行うことができる。
【図面の簡単な説明】
【図１】本発明の一実施の形態を示す斜視図である。
【図２】図２は図１のＢ−Ｂ線断面図である。
【図３】本発明に用いるガイド板の一つの実施の形態を示す断面図である。
【図４】本発明の廃棄瓶整列装置で断面楕円形状の廃棄瓶を処理する場合の状態を示す断面図である。
【図５】本発明に用いるガイド板の他の実施の形態を示す断面図である。
【図６】本発明に用いるガイド板の他の実施の形態を示す断面図である。
【図７】従来の廃棄瓶整列装置の一例を示す図である。
【図８】図７の廃棄瓶整列装置に用いた整列装置の平面図である。
【図９】図８のＡ−Ａ線矢視断面図である。
【符号の説明】
２０廃棄瓶整列装置
２１  搬送レールユニット
２２、２３、２４  搬送レール
２２ａ、２２ｂ、２３ａ、２３ｂ、２４ａ、２４ｂ  丸棒状部材
２５、２５ａ、２５ｂ、４１、４１ａ、４１ｂ  ガイド板
２６、２６ａ、４２  廃棄瓶
２７  駆動機構
２８  モータ
２９、３４、３５  チェーン
３０、３２、３３  プーリー
３１  駆動伝達軸
３６  スリット
３６ａ  スリット壁
３７  カレット
３８  センサ
３９  制御装置
４０  制御バルブ
４３  残渣コンベアノズル
４４  ノズル
４５  仕分け箱
４６ａ、４６ｂ  スカート
４７ａ、４７ｂ  ヒンジ
４８  減速板
【図１】
0003656457.tif 000002
【図２】
0003656457.tif 000003
【図３】
0003656457.tif 000004
【図４】
0003656457.tif 000005
【図５】
0003656457.tif 000006
【図６】
0003656457.tif 000007
【図７】
0003656457.tif 000008
【図８】
0003656457.tif 000009
【図９】
0003656457.tif 000010